(57)【要約】【課題】コンテンツファイルの整理を目的に応じて簡便に行う。【解決手段】オーディオ再生装置１は、操作部１０と、音楽ファイルを当該音楽ファイルの管理情報とともに記憶する記憶部４と、選択モードにおいて音楽ファイルの選択処理を行うとともに、削除モードにおいて選択処理によって選択された音楽ファイルのデータ処理を行うメイン制御部２であって、複数の異なる選択モード、削除モードのうち、前記操作部１０を介して指定された選択モードに応じて前記記憶された音楽ファイルの中からデータ処理対象の音楽ファイルを選択する選択処理を行い、この選択処理によって選択された音楽ファイルを、前記操作部１０を介して指定された削除モードに応じて削除の処理を行うメイン制御部２と、を備える。【選択図】図１
2008287844.tif 000002
【特許請求の範囲】
【請求項１】
操作手段と、
コンテンツファイルを当該コンテンツファイルの管理情報とともに記憶する記憶手段と、
選択モードにおいてコンテンツファイルの選択処理を行うとともに、処理モードにおいて選択処理によって選択されたコンテンツファイルのデータ処理を行う制御手段であって、複数の異なる選択モード、処理モードのうち、前記操作手段を介して指定された選択モードに応じて前記記憶されたコンテンツファイルの中からデータ処理対象のコンテンツファイルを選択する選択処理を行い、この選択処理によって選択されたコンテンツファイルを、前記操作手段を介して指定された処理モードに応じてデータ処理する制御手段と、
を備えるコンテンツファイル処理装置。
【請求項２】
前記複数の選択モードは、コンテンツファイルの内容によって選択処理を行う選択モードを含み、
前記制御手段は、前記選択モードが指定されると、前記記憶されたコンテンツファイルの中から、当該指定された選択モードにおいて予め定められているコンテンツファイルの内容と一致するコンテンツファイルを選択する請求項１に記載のコンテンツファイル処理装置。
【請求項３】
前記複数の選択モードは、コンテンツファイルのデータ条件によって選択処理を行う選択モードを含み、
前記制御手段は、前記選択モードが指定されると、前記記憶されたコンテンツファイルの中から、当該指定された選択モードにおいて予め定められているコンテンツファイルのデータ条件と一致するコンテンツファイルを選択する請求項１に記載のコンテンツファイル処理装置。
【請求項４】
前記データ処理は、コンテンツファイルの削除処理であり、
前記削除処理の複数の処理モードは、コンテンツファイルを復元可能に削除する処理モードを含み、
前記制御手段は、前記処理モードが指定されると、前記選択処理によって選択されたコンテンツファイルの管理情報を前記記憶手段の削除用の記憶領域に移動させる処理を行う請求項１〜３の何れか一項に記載のコンテンツファイル処理装置。
【請求項５】
前記データ処理は、コンテンツファイルの削除処理であり、
前記削除処理の複数の処理モードは、コンテンツファイルを完全削除する処理モードを含み、
前記制御手段は、前記処理モードが指定されると、前記選択処理によって選択されたコンテンツファイルを前記記憶手段から削除する処理を行う請求項１〜３の何れか一項に記載のコンテンツファイル処理装置。
【請求項６】
前記データ処理は、コンテンツファイルの削除処理であり、
前記削除処理の複数の処理モードは、前記選択されたコンテンツファイルの一部を復元可能に削除するとともに、その他を完全削除する処理モードを含み、
前記制御手段は、前記処理モードが指定されると、前記選択処理によって選択されたコンテンツファイルの一部に対し、その管理情報を前記記憶手段の削除用の記憶領域に移動させる処理を行い、残りのコンテンツファイルを前記記憶手段から削除する処理を行う請求項１〜３の何れか一項に記載のコンテンツファイル処理装置。
【発明の詳細な説明】
【技術分野】
【０００１】
本発明は、コンテンツファイル処理装置に関する。
【背景技術】
【０００２】
近年、ハードディスク内蔵型のオーディオプレーヤ等では、ハードディスクの記憶容量が増大し、記憶可能なコンテンツファイルの量や種類も増えてきている。コンテンツファイルとしては、ＣＤ等から取り込んだ音楽ファイルの他、配信サイトからネットワークを介してダウンロードした音楽ファイル、ラジオ放送の録音ファイル、デジタルカメラ等で撮影した画像ファイル、コンピュータ端末で作成したテキストファイル等が挙げられる。
【０００３】
オーディオ再生装置等のコンテンツファイル処理装置では、様々な入力元からのコンテンツファイルを管理するため、コンテンツファイルの取得時に管理用のデータベースを作成することが多い。例えば、ＣＤから音楽ファイルを取り込んだ場合、ネットワーク上のＣＤＤＢ（CD Data Base；予め販売したＣＤ等に収録されている音楽ファイルのタイトル等をデータベース化したもの）を用いて、取り込んだ音楽データのアーティスト、タイトル等を音楽ファイルのタグデータとして取り込み、当該タグデータを用いて管理用データベースを作成する（例えば、特許文献１参照）。
【特許文献１】特開２００５−２７４９９１号公報
【発明の開示】
【発明が解決しようとする課題】
【０００４】
しかしながら、大容量化に伴って記憶されるコンテンツファイル量が増えると、ユーザがコンテンツファイルを削除したり、コピーしたりする際に、多くのコンテンツファイルの中から対象とするコンテンツファイルを探さなければならず煩雑である。特に、あるコンテンツファイルと関連するコンテンツファイルをまとめて処理したい場合には、何度もコンテンツファイルの選択操作を繰り返さなければならず、非常に効率が悪い。
【０００５】
また、コンテンツファイルは、入力元によって作成される管理用データベースの構造がそれぞれ異なるものとなる場合がある。例えば、他の機器で録音された録音ファイル等を取り込む場合には異なるフォーマットでタグデータが作成されていたりして、互換性がとれない等の問題があった。また、ラジオ放送の録音ファイル等はタグデータが作成されないこともある。そのため、管理用のデータベースで管理しきれずに当該データベースを利用してユーザが希望するコンテンツファイルを検索できない場合もあった。
【０００６】
本発明の課題は、コンテンツファイルの整理を目的に応じて簡便に行うことである。
【課題を解決するための手段】
【０００７】
本発明は、コンテンツファイル処理装置において、
操作手段と、
コンテンツファイルを当該コンテンツファイルの管理情報とともに記憶する記憶手段と、
選択モードにおいてコンテンツファイルの選択処理を行うとともに、処理モードにおいて選択処理によって選択されたコンテンツファイルのデータ処理を行う制御手段であって、複数の異なる選択モード、処理モードのうち、前記操作手段を介して指定された選択モードに応じて前記記憶されたコンテンツファイルの中からデータ処理対象のコンテンツファイルを選択する選択処理を行い、この選択処理によって選択されたコンテンツファイルを、前記操作手段を介して指定された処理モードに応じてデータ処理する制御手段と、
を備える。
【発明の効果】
【０００８】
本発明によれば、データ処理したい関連するコンテンツファイル群を一括して選択し、データ処理することが可能となる。よって、データ処理したいコンテンツファイルをユーザが逐一指定する操作する必要が無く、操作性がよい。また、複数ある選択モード、処理モードの中から指定することができ、ユーザの目的に応じて様々な選択方法、データ処理方法をとることができる。従って、コンテンツファイルをユーザの目的に応じて簡便に整理することが可能となる。
【発明を実施するための最良の形態】
【０００９】
本実施形態では、コンテンツファイル処理装置の例として音楽ファイルの処理を行うオーディオ再生装置の場合を説明する。
【００１０】
まず、構成を説明する。
図１に、本実施形態におけるオーディオ再生装置１の機能的構成を示す。
オーディオ再生装置１は、図１に示すように、メイン制御部２、通信部３、記憶部４、ディスクドライブユニット５、ＵＳＢ Ｉ／Ｏ６、音処理部７、チューナー部８、サブ制御部９、操作部１０、表示部１１を備えて構成されている。
【００１１】
メイン制御部２は、ＣＰＵ（Central Processing Unit）、ＲＡＭ（Random Access Memory）等から構成され、記憶部４に記憶された制御プログラムとの協働により、各種演算を行う他、各部の集中制御を行う。
例えば、メイン制御部２は音楽ファイルの再生のための制御を行う。
また、音楽ファイルの選択処理の動作モードである選択モードにおいて、記憶部４に記憶されている音楽ファイルからデータ処理対象の音楽ファイルの選択処理を行う。さらに、音楽ファイルのデータ処理の動作モードである処理モードにおいて、前記選択処理によって選択された音楽ファイルのデータ処理を行う。
【００１２】
通信部３は、通信用のインターフェイスを備え、外部機器との通信を行う。例えば、通信部３はインターネット上の音楽ファイルの配信サーバに接続し、当該配信サーバから音楽ファイルを受信する。
【００１３】
記憶部４は、ハードディスク等の大容量メモリから構成され、メイン制御部２、サブ制御部９で実行される制御プログラムの他、プログラムの実行に必要なパラメータ、データ等を記憶している。
また、記憶部４は、コンテンツファイルである音楽ファイルを記憶するとともに、当該音楽ファイルの管理に用いる管理データベースを記憶する。
【００１４】
図２は、音楽ファイルの一例を示す図である。
図２に示すように、音楽ファイルはフォルダによって分類されて記憶されている。フォルダの分類はどのような分類であってもよいが、図２に示す例では音楽ファイルを取り込んだ入力もと（例えば、ＣＤから取り込んだ場合、配信サイトからネットワークを介してダウンロードした場合やラジオ放送を録音した場合等）や入力日時等によって、フォルダＡ〜Ｄを作成して分類している。なお、図２の例では、便宜上フォルダＡに属する音楽ファイルを音楽ファイルａ１〜ａ４、フォルダＢに属するものを音楽ファイルｂ１〜ｂ３、フォルダＣに属するものを音楽ファイルｃ１、ｃ２、フォルダＤに属するものを音楽ファイルｄ１〜ｄ３と示して識別している。
【００１５】
音楽ファイルは、図２に示すようにタグデータと音楽データからなる。タグデータは音楽データに関する付属情報のデータである。
タグデータには、例えば音楽のタイトル、アーティスト、収録されているアルバム名、ジャンル等の音楽の内容に関する付属情報の他、圧縮フォーマット、圧縮率、パス名、記録履歴等の音楽データ自体に関する付属情報を含んでいる。なお、記録履歴とは音楽データの保存に関する履歴を指し、音楽データの入力元（例えば、ＣＤからコピーした場合にはそのＣＤの情報、ラジオ放送を録音した場合には放送局のバンド、周波数等の情報）、保存日時等の情報が含まれる。
【００１６】
図３に、上記記憶された音楽ファイルの管理データベースＭの例を示す。
管理データベースＭは音楽ファイルの管理情報からなり、音楽ファイルの検索等の際に利用される。管理情報とは音楽ファイルの管理に用いられる情報であり、例えば音楽ファイルのタイトル、アーティスト等の音楽ファイルの内容に関する情報の他、音楽ファイルの圧縮フォーマット等のデータ条件の情報が挙げられる。
図３ではアーティスト毎に音楽ファイルを管理するように構成された管理データベースＭの例を示している。この管理データベースＭでは、アーティストＡ〜Ｃ毎にそのアーティストＡ〜Ｃに該当する音楽ファイルのタイトル、圧縮フォーマット、パス名、その他の情報（圧縮率、記録履歴等）を管理情報として記憶している。例えば、図２に示した音楽ファイルｂ１のアーティストが「アーティストＡ」である場合、音楽ファイルｂ１のタイトル「ＡＡＡＡＡ」、圧縮フォーマット「ＡＴＲＡＣ」、パス名「フォルダＢ￥音楽ファイルｂ１」等の管理情報が管理データベースＭのアーティストＡの領域に記憶される。
【００１７】
また、図３に示すように、管理データベースＭにはゴミ箱の領域Ｍｇが設けられている。ゴミ箱は、復元可能に削除した音楽ファイルの管理情報を一時的に保存するための削除用の記憶領域である。このゴミ箱の領域Ｍｇに音楽ファイルの管理情報を移動させることで、当該音楽ファイルはユーザの取り扱い上、削除されたものとされるが、音楽ファイルのデータ自体は記憶部４から削除されておらず、ゴミ箱から他の領域（アーティストＡ、Ｂ、Ｃの領域）に管理情報を移動させることで再度その音楽ファイルを有効なものとして復元することができる。
管理データベースＭの作成方法については後述する。
【００１８】
ディスクドライブユニット５は、メイン制御部２の制御に従って、ＣＤやＤＶＤ等のディスクに対してデータの読み書きを行う。
【００１９】
ＵＳＢ Ｉ／Ｏ６は、ＵＳＢコネクタ６１に接続された外部装置に対しデータの入出力を行うものである。データの入出力は、メイン制御部２の制御に従って行う。例えば、ＵＳＢ Ｉ／Ｏ６は、ＵＳＢコネクタ６１に接続された他のオーディオ再生装置やＰＣ（パーソナルコンピュータ）から音楽ファイルを入出力する。
【００２０】
音処理部７は、変換器７１、コーデック７２を備え、音の出力及び入力信号のデータ化のための処理を行う。
変換器７１は、デジタル信号からアナログ信号へ、またその逆へと信号の変換を行うものである。コーデック７２は、デコーダ、エンコーダを備え、音信号の符号化又は復号化を行う。
音処理部７は、音入力部７３やチューナー部８から入力される音信号（アナログ信号）を変換器７１によりデジタル信号に変換した後、これをコーデック７２によりエンコードしてメイン制御部２に出力する。一方、メイン制御部２から再生する音楽データが入力されると、コーデック７２によりこれをデコードし、変換器７１によってアナログ信号に変換した後、音出力部７４に出力する。音入力部７３はマイク等であり、音出力部７４はスピーカ等である。
【００２１】
チューナー部８は、アンテナを備えてラジオ放送を受信するための処理を行う。チューナー部８は、アンテナを介して受信した放送電波のうち、サブ制御部９により指示された放送チャンネルの放送電波を抽出する。次いで、放送電波から音信号を抽出してこれを音処理部７に出力する。
【００２２】
サブ制御部９は、ＣＰＵ、ＲＡＭ等から構成されている。サブ制御部９は、操作部１０から入力される放送に係る操作信号に応じてチューナー部８の動作を制御する一方、放送以外の操作に係る操作信号についてはメイン制御部２に出力する。このようにして、サブ制御部９はメイン制御部２の補佐的な役割を果たす。
【００２３】
操作部１０は、操作キーやリモートコントローラ等を備え、これらの操作に応じた操作信号を生成してサブ制御部９に出力する。
表示部１１は、ディスプレイを備え、メイン制御部２の制御に従ってこのディスプレイ上に設定画面や操作画面等を表示する。
【００２４】
次に、オーディオ再生装置１の動作について説明する。
オーディオ再生装置１では、新たに保存すべき音楽ファイルや音楽データが入力されると、当該音楽ファイル等を記憶部４に記憶させるとともに、管理データベースＭを作成する。最初に、この音楽ファイル等の入力と管理データベースの作成に係る処理について説明する。
【００２５】
音楽ファイルの入力方法としては、（１）ＣＤ等のディスクに記録されている音楽ファイルを取り込む、（２）インターネット上の配信サーバから音楽ファイルをダウンロードする、（３）ラジオ放送を録音し、音楽ファイルを生成する、（４）他の機器で作成された音楽ファイルを取り込む等の方法が考えられる。以下、それぞれの入力方法により入力された音楽ファイルを記憶部４に記憶する際にメイン制御部２により行われる処理について説明する。
【００２６】
（１）ディスクから音楽ファイルを入力する場合
ディスクドライブユニット５によりディスク（ＣＤＤＡ）からリアルＰＣＭデータとして読み出し、音処理部７のコーデック７２で、所定の圧縮フォーマットで圧縮処理する。そして、記憶部４に音楽データとして記憶する。なお、ユーザによりにより操作部１０を介して圧縮フォーマットが当該指定された圧縮フォーマットにより圧縮する。
【００２７】
次いで、メイン制御部２はタグデータを生成し、このタグデータと音楽データとを音楽ファイルとする。音楽ＣＤディスク（ＣＤＤＡ）にはアーティスト名や楽曲タイトル等のメタデータが付加されていることがあり、メイン制御部２はこのメタデータを音楽データのタグデータとして取り込む。さらに、通信部３を介してネットワーク上のＣＤＤＢに問い合わせ、当該音楽ＣＤディスクのアーティスト名や楽曲タイトルなどのメタデータを検索し取得する。基本的に、ディスクに付加されているメタデータとネットワーク経由で（ＣＤＤＢから）取得したメタデータの両者を使用してタグデータを作成する。また、音楽データの圧縮フォーマット、圧縮率、録音日時等のファイル自体に関する情報もタグデータに含ませる。
作成した音楽ファイルは記憶部４に記憶させる。このとき、記録に関わる情報（録音経路やファイルを作成した日時など）に対応するフォルダ（パス）に当該音楽ファイルを格納する。
【００２８】
次いで、メイン制御部２は管理データベースＭを作成する。まず、記憶させた音楽ファイルのタグデータから管理データベースＭに管理情報として記憶すべき情報（例えば、音楽のタイトル、圧縮フォーマット等の情報）を抽出するとともに、音楽ファイルの記憶部４での保存先を示すパス名、音楽ファイルの入力元等に関する記録履歴の情報を生成する。また、当該タグデータに基づいて音楽ファイルのアーティストを判断する。そして、抽出した情報とパス名の情報を管理データベースＭの該当するアーティストの領域に追加し、管理データベースＭの更新を行う。
【００２９】
（２）音楽ファイルをダウンロードする場合
この場合、配信サイト側で音楽データとタグデータとからなる音楽ファイルが用意されている場合と、音楽データとメタデータとが別ファイルとして用意されている場合とがある。既に１つの音楽ファイルとして用意されている場合は、その音楽ファイルを、通信部３を介してダウンロードしてこれを記憶部４に記憶する。音楽データとメタデータが分かれている場合は、その両方をダウンロードし、それをいったん記憶部４に記憶させる。そして、そのメタデータをタグデータに変換し、音楽データとタグデータとからなる音楽ファイルを作成し改めて記憶部４に記憶させる。いずれの場合においても、ダウンロード日時等のファイル自体に関する情報もタグデータに含ませる。
音楽ファイルの、記憶部４の格納場所（＝フォルダ（パス））は、上記と同様。
次いで、音楽ファイルのタグデータに基づいて当該音楽ファイルの管理情報を生成し、管理データベースＭに追加して更新する。この管理データベースＭの作成方法については上記と同じであるので詳細な説明は省略する。
【００３０】
（３）ラジオ放送の録音による音楽ファイルを入力する場合
チューナー部８を介して受信しているラジオ放送の録音が操作部１０を介してユーザにより指示されると、メイン制御部２は、当該ラジオ放送の音声信号を、音処理部７の変換器７１でデジタルデータ（リニアＣＰＭデータ）に変換し、それをコーデック７２で所定の圧縮フォーマットに圧縮し、音楽データを作成して記憶部４に記憶させる。
さらに、当該音楽データに対応するタグデータを生成し、これと合わせて音楽ファイルとする。タグデータは、圧縮フォーマットや圧縮率、録音した日時等である。その他、音楽配信サイトＡｎｙＭｕｓｉｃの運営しているサーバから提供されるＦＭオンエア情報（番組情報、放送時間等の情報）を通信部３を介して取得したものをタグデータに含ませたり、ユーザにより操作部１０を介して入力されたタイトル、アーティスト等の情報を含ませてもよい。メイン制御部２はこのように作成したタグデータに基づいて音楽ファイルの管理情報を生成する。
音楽ファイルの、記憶部４の格納場所（＝フォルダ（パス））は、上記と同様である。
管理データベースＭの作成方法は上記と同様である。
【００３１】
（４）他の機器で作成された音楽ファイルを入力する場合
他の機器から入力される場合としては、ＵＳＢ Ｉ／Ｏ ６を介してＰＣや他のオーディオ再生装置（以下ＰＣ等と記す）から入力される場合が考えられる。
ＰＣ等から入力される場合、ＰＣ等において音楽データについてタグデータが既に作成され、音楽ファイルとして入力される。入力された音楽ファイルは記憶部４に記憶させる。
音楽ファイルの、記憶部４の格納場所（＝フォルダ（パス））は、上記と同様。
当該音楽ファイルのタグデータを用いて管理データベースＭを作成する。
【００３２】
（５）外部からのアナログ信号の録音による音楽ファイルを入力する場合
外部から入力されるアナログ信号の場合、音楽データのみが入力されることになる。この場合でも、メイン制御部２はタグデータを作成する。タグデータとしては、圧縮フォーマットや圧縮率、録音した日時等である。さらに、操作部１０を介して入力されるタイトル等を含めてもよい。
音楽ファイルの、記憶部４の格納場所（＝フォルダ（パス））は、上記と同様。
その後、上述の方法により管理データベースＭを作成する。
【００３３】
一方、オーディオ再生装置から入力される場合、音楽データのみが入力される場合が多い。この場合、メイン制御部２はタグデータを作成する。タグデータとしては、操作部１０を介して入力されるタイトル等を含めてもよいし、音楽データを基にＣＤＤＢに問い合わせて取得することとしてもよい。その後、上述の方法により管理データベースＭを作成する。
【００３４】
次に、上記のように保存された音楽ファイルを整理する際のデータ処理について説明する。
音楽ファイルの整理としては、音楽ファイルの削除、移動（フォルダ間の移動やＰＣ等の外部装置への移動等）、コピー（バックアップ用にコピーする場合やＣＤ等にコピーする場合等）等が挙げられるが、ここでは削除する場合に行われるデータ処理を例に説明する。
【００３５】
オーディオ再生装置１では、削除する音楽ファイルの選択処理に係る動作モードとして、異なる複数の選択モードＸ１〜Ｘ５を有している。各選択モードＸ１〜Ｘ５は、音楽ファイルの内容（アーティストやタイトル等の音楽データの内容をいう）やデータ条件（圧縮フォーマットや圧縮率、入力元等の音楽データ自体の条件をいう）によって異なる内容の選択処理をメイン制御部２に行わせるものである。
【００３６】
選択モードＸ１は、ユーザが指定した音楽ファイルのみを削除対象として選択する動作モードである。選択モードＸ２は、ユーザが指定した音楽ファイルとアーティスト名、タイトルが同一の音楽ファイル全てを削除対象として選択する動作モードである。選択モードＸ３は、ユーザが指定した音楽ファイルとアーティストが同一の音楽ファイル全てを削除対象として選択し、選択モードＸ４は同一圧縮フォーマットの音楽ファイルを削除対象として選択する。選択モードＸ５はユーザにより指定された音楽ファイルと入力元が同一である音楽ファイルを削除対象として選択する。
【００３７】
また、オーディオ再生装置１では、上記の選択モードＸ１〜Ｘ５により選択された音楽ファイルの削除に係るデータ処理についても、異なる複数の削除（処理）モードＹ１〜Ｙ３を有している。削除モードＹ１〜Ｙ３についても音楽ファイルを完全削除するか、ゴミ箱へ格納させて復元可能に削除するか、或いは選択された音楽ファイルの全部を削除処理の対象とするか、或いは一部を復元可能に削除し、残りは完全削除するか等、異なる処理内容の削除処理をメイン制御部２に行わせるものである。
【００３８】
なお、ゴミ箱へ格納するとは、管理データベースＭにおいてゴミ箱領域へ音楽ファイルの管理情報を移動させることをいう。上述したように、ゴミ箱領域に管理情報が移動された音楽ファイルはデータの取扱上削除されたものとされるが、音楽ファイルのデータ自体は記憶４から削除されていないので、他の領域に管理情報を移動させることにより音楽ファイルのデータは有効なものとされ、復元することができる。
これに対し、完全削除とはデータ自体を記憶部４から消去することをいう。具体的には、データを記憶している領域を上書き可能な状態とするか、或いは実際に白紙データを上書きし消去する。データ自体を消去するので、管理データベースＭで管理情報をゴミ箱へ移動させる場合と異なり、その後消去したデータを復元することはできない。
【００３９】
削除モードＹ１は全ての音楽ファイルをゴミ箱へ格納し、復元可能に削除する動作モードである。削除モードＹ２は選択された音楽ファイルのうち１つのみをゴミ箱へ格納し、他を全て完全削除する動作モードであり、どの音楽ファイルをゴミ箱へ格納させるかによってさらに３つの削除モードＹ２１〜Ｙ２３に分かれている。ここで、削除モードＹ２１はゴミ箱へ格納させる音楽ファイルをファイルサイズによって選択する動作モードである。削除モードＹ２２は圧縮率、削除モードＹ２３は圧縮フォーマットによって選択する。一方、削除モードＹ３は選択された音楽ファイルを全て完全削除する動作モードである。
【００４０】
これら選択モードＸ１〜Ｘ５、削除モードＹ１〜Ｙ３は、ユーザの指定操作によって予め設定しておく必要がある。オーディオ再生装置１では、そのための設定画面を表示部１１上に表示させる。
図４は、設定画面例を示す図である。
図４に示すように、設定画面ｄ１においてメイン制御部２は表示領域ｄ１１に選択モードＸ１〜Ｘ５を選択的に表示させ、表示領域ｄ１２に削除モードＹ１〜Ｙ３を選択的に表示させる。なお、削除モードＹ２１〜Ｙ２３についてはファイルサイズ、圧縮率、圧縮フォーマットの指定条件の入力領域ｄ１３をそれぞれ設ける。そして、操作部１０を介してユーザにより何れかの選択モードＸ１〜Ｘ５、削除モードＹ１〜Ｙ３が指定操作されると、メイン制御部２は当該選択された選択モード及び削除モードの設定情報を記憶部４に記憶させる。削除モードＹ２１〜Ｙ２３についてはファイルサイズ、圧縮率、圧縮フォーマットの指定条件の入力情報を、各削除モードＹ２１〜Ｙ２３の設定情報として記憶部４に記憶させる。
【００４１】
例えば、ユーザがあるアーティストの音楽ファイルを全て削除し、記憶部４に空き領域を設けたい場合、同一アーティストの音楽ファイルを選択する選択モードＸ３、選択した音楽ファイルを全て完全削除する削除モードＹ３を指定すればよい。また、圧縮フォーマットが異なるのみで同一タイトルの音楽ファイルを削除したいが、MP3の圧縮フォーマットのものを１ファイルだけ完全削除せずに残したいという場合、同一内容の音楽ファイルを選択する選択モードＸ２及び選択した音楽ファイルのうち１つをゴミ箱に移動させて他は完全削除する削除モードＹ２３を指定すればよい。削除モードＹ２３の指定時には、ゴミ箱に格納する音楽ファイルの圧縮フォーマットとして入力領域ｄ１３に「MP3」を入力する。この場合、記憶部４には、選択モードＸ３、削除モードＹ２３で圧縮フォーマット「MP3」の設定情報が記憶されることとなる。
【００４２】
次に、上記設定がなされた後、音楽ファイルを削除する際に実行される処理について、図５及び図６を参照して説明する。
図５に示すように、まず削除する音楽ファイルの指定操作が操作部１０を介してユーザによりなされると（ステップＳ１）、メイン制御部２は当該指定された音楽ファイルのタイトル、アーティスト、圧縮フォーマット、記録履歴の情報を管理データベースＭから抽出する（ステップＳ２）。
【００４３】
次いで、記憶部４に記憶されている選択モードの設定情報に基づいて、メイン制御部２はユーザにより指定されている選択モードＸ１〜Ｘ５を判断する。指定されたのは選択モードＸ２であった場合（ステップＳ３；Ｙ）、メイン制御部２は前記管理データベースＭから抽出したタイトル又はアーティストの何れかが一致する音楽ファイルを、管理データベースＭに基づいて検索する。そして、メイン制御部２は検索された音楽ファイルを削除対象として選択する（ステップＳ４）。
【００４４】
また、指定されたのは選択モードＸ３である場合（ステップＳ３；Ｎ、Ｓ５；Ｙ）、メイン制御部２は前記管理データベースＭから抽出したアーティストと一致する音楽ファイルを、管理データベースＭに基づいて検索する。そして、メイン制御部２は検索された音楽ファイルを削除対象として選択する（ステップＳ６）。
【００４５】
また、指定されたのは選択モードＸ４である場合（ステップＳ５；Ｎ、Ｓ７；Ｙ）、メイン制御部２は前記管理データベースＭから抽出した圧縮フォーマットと同一の圧縮フォーマットの音楽ファイルを、管理データベースＭに基づいて検索する。そして、メイン制御部２は検索された音楽ファイルを削除対象として選択する（ステップＳ８）。
【００４６】
一方、指定されたのは選択モードＸ５であった場合（ステップＳ７；Ｎ、Ｓ９；Ｙ）、メイン制御部２は前記管理データベースＭから抽出した記録履歴に基づいて入力元を判別する。そして、判別した入力元と一致する音楽ファイルを、管理データベースＭに基づいて検索する。メイン制御部２は検索された音楽ファイルを削除対象として選択する（ステップＳ１０）。
【００４７】
また、指定されたのは選択モードＸ１であった場合（ステップＳ９；Ｎ）、メイン制御部２は、ユーザにより指定された１の音楽ファイルのみを削除対象として選択する（ステップＳ１１）。
このようにして削除対象の音楽ファイルの選択処理がなされると、図６に示すステップＳ１２の処理に移行し、選択された音楽ファイルの削除処理を行う。
【００４８】
まず、メイン制御部２は記憶部４に記憶された削除モードＹ１〜Ｙ３の設定情報に基づいて、ユーザにより予め指定されている削除モードを判断する。指定されたのが削除モードＹ１である場合（ステップＳ１２；Ｙ）、メイン制御部２は管理データベースＭに設けられたゴミ箱の領域Ｍｇに、選択された全ての音楽ファイルの管理情報を移動させる（ステップＳ１３）。メイン制御部２は、その後、ゴミ箱の領域Ｍｇに管理情報が移動された音楽ファイルについて、例えば再生対象の音楽ファイルのリスト表示から除外する等して、ユーザの取扱上、削除されたものとするように表示制御を行う。
【００４９】
一方、指定された削除モードが削除モードＹ２１であった場合（ステップＳ１２；Ｎ、Ｓ１４；Ｙ）、メイン制御部２は記憶部４からファイルサイズの指定条件に係る設定情報を読み出す。そして、読み出した設定情報に基づいて選択された音楽ファイルのうち、１の音楽ファイルをさらに選択し、この選択した１の音楽ファイルの管理情報のみを管理データベースＭのゴミ箱の領域Ｍｇに移動させる。次いで、メイン制御部２は残りの他の音楽ファイルの管理情報を管理データベースＭから完全削除するとともに、記憶部４に記憶されている音楽ファイルのデータ自体も完全削除する（ステップＳ１５）。
【００５０】
例えば、ファイルサイズの指定条件が「１００ＫＢ以上」と指定されていた場合、選択された音楽ファイルのうち、ファイルサイズが「１００ＫＢ以上」の１の音楽ファイルをさらに選択することとなる。指定条件「１００ＫＢ以上」に一致する音楽ファイルが複数ある場合にはそのうち任意の１つを選択すればよい。
【００５１】
また、指定されたのが削除モードＹ２２であった場合（ステップＳ１４；Ｎ、Ｓ１６；Ｙ）、メイン制御部２は記憶部４から圧縮率の指定条件に係る設定情報を読み出す。そして、読み出した設定情報に基づいて選択された音楽ファイルのうち、１の音楽ファイルをさらに選択し、この選択した１の音楽ファイルの管理情報のみを管理データベースＭのゴミ箱の領域Ｍｇに移動させる。次いで、メイン制御部２は残りの他の音楽ファイルの管理情報を管理データベースＭから完全削除するとともに、記憶部４に記憶されている音楽ファイルのデータ自体も完全削除する（ステップＳ１７）。
【００５２】
例えば、圧縮率の指定条件が「６０％以下」のものと指定されていた場合、選択された音楽ファイルのうち圧縮率が「６０％以下」の１の音楽ファイルをさらに選択することとなる。指定条件「６０％以下」に合致する音楽ファイルが複数ある場合にそのうちの任意の１つを選択する点は上記と同様である。
【００５３】
また、指定されたのが削除モードＹ２３であった場合（ステップＳ１６；Ｎ、Ｓ１８；Ｙ）、メイン制御部２は記憶部４から圧縮フォーマットの指定条件に係る設定情報を読み出す。そして、読み出した設定情報に基づいて選択された音楽ファイルのうち、１の音楽ファイルをさらに選択し、この選択した１の音楽ファイルの管理情報のみを管理データベースＭのゴミ箱の領域Ｍｇに移動させる。次いで、メイン制御部２は残りの他の音楽ファイルの管理情報を管理データベースＭから完全削除するとともに、記憶部４に記憶されている音楽ファイルのデータ自体も完全削除する（ステップＳ１７）。
【００５４】
例えば、圧縮フォーマットの指定条件が「MP3」であった場合、選択された音楽ファイルのうち圧縮フォーマットが「MP3」の１の音楽ファイルをさらに選択することとなる。圧縮フォーマット「MP3」の音楽ファイルが複数ある場合にそのうちの任意の１つを選択する点は上記と同様である。
【００５５】
一方、指定されたのは削除モードＹ３である場合（ステップＳ１８；Ｎ）、メイン制御部２は削除対象として選択された音楽ファイル全てを完全削除する（ステップＳ２０）。すなわち、選択された音楽ファイルの管理情報を管理データベースＭから完全削除するとともに、記憶部４に記憶されている音楽ファイルのデータ自体も完全削除する。
【００５６】
以上のように、オーディオ再生装置１では、複数の選択モードＸ１〜Ｘ５及び複数の削除モードＹ１〜Ｙ３を有し、ユーザにより指定された選択モードに応じて音楽ファイルの選択処理を行い、当該選択された音楽ファイルを、ユーザにより指定された削除モードに応じて削除処理する。これにより、削除したい音楽ファイルを一括して選択し、削除することが可能となる。ユーザは最初に削除したい音楽ファイルを１つ指定するだけで、当該指定された音楽ファイルに関連する複数の音楽ファイルを様々な削除方法で削除することができる。従って、音楽ファイルをユーザの目的に応じて簡便に整理することが可能となる。
【００５７】
また、選択モードＸ１〜Ｘ５には、音楽ファイルの内容、データ条件によって異なる選択を行う選択処理のものが含まれる。ユーザは目的に応じて何れかの選択モードＸ１〜Ｘ５を指定することにより、１の音楽ファイルを指定する簡単な操作を行うだけで、当該指定された音楽ファイルと内容やデータ条件が一致する他の音楽ファイルを一括して削除対象として選択されることとなる。よって、削除対象の音楽ファイルをユーザが逐一選択する手間を省くことができ、操作性だけでなく機能性も向上させることができる。
【００５８】
一方、削除モードＹ１〜Ｙ３には、ゴミ箱に格納して復元可能に削除するデータ処理の他、音楽ファイルのデータ自体を完全削除するデータ処理のものが含まれる。また、選択された音楽ファイルの全部を完全削除又はゴミ箱へ移動させるデータ処理、或いは部分的にゴミ箱へ格納し、残りを完全削除するデータ処理のものが含まれる。このように、何れかの削除モードＹ１〜Ｙ３を指定することにより、削除の内容についてもユーザが指定でき、簡単な操作で一括削除をより詳細な内容で行うことが可能となる。
また、部分的にゴミ箱へ格納させる場合にはゴミ箱に格納させる音楽ファイルを音楽ファイルのデータ条件によって指定することができる。よって、ユーザの目的に応じた削除を行うことができる。
【００５９】
なお、上記実施形態は本発明を適用した好適な一例であり、これに限定されるものではない。
例えば、コンテンツファイルの例として音楽ファイルの例を説明したが、画像ファイルやテキストファイル等、他のコンテンツファイルを扱う場合も上記と同様の処理を行うことができる。また、オーディオ再生装置ではなく、携帯端末やデジタルカメラ等の他のコンテンツファイル処理装置にも適用可能である。
【００６０】
また、削除ではなく、選択したコンテンツファイルを他の外部装置等に一括して移動させる際やコピーする際その他コンテンツファイルを整理する際に適用することが可能である。他の整理を行う場合も、例えば選択モードＸ１〜Ｘ５で選択されたコンテンツファイルの全部を移動、コピーする、全部のうち一部のコンテンツファイルを残して他を移動、コピーする等、データ処理を行う動作モードを複数準備しておき、これをユーザに指定させればよい。この構成によれば、移動、コピー等の整理を行う際には個々のコンテンツファイルについて操作するのではなく、全部のコンテンツファイルを一括して操作することができる。
【００６１】
また、上記の例では、削除モードＹ２１〜Ｙ２３においてゴミ箱に残す音楽ファイルを、音楽ファイルのデータ条件（ファイルサイズ、圧縮率、圧縮フォーマット）により選択できることとしたが、これに限らず、音楽ファイルの内容（アーティスト、タイトル）等によって選択できる削除モードを設けることとしてもよい。この構成によれば、ユーザの目的に応じてより多様な削除処理を行うことができる。
【図面の簡単な説明】
【００６２】
【図１】本実施形態におけるオーディオ再生装置の機能的構成を示す図である。
【図２】図１の記憶部に記憶されたコンテンツファイルの例を示す図である。
【図３】図２のコンテンツファイルの管理データベースＭ例を示す図である。
【図４】選択モード及び削除モードの設定画面例を示す図である。
【図５】オーディオ再生装置により実行される処理の流れを説明する図である。
【図６】オーディオ再生装置により実行される処理の流れを説明する図である。
【符号の説明】
【００６３】
１  オーディオ再生装置
２  メイン制御部
３  通信部
４  記憶部
５  ディスクドライブユニット
６  ＵＳＢ Ｉ／Ｏ
７  音処理部
８  チューナー部
９  サブ制御部
１０  操作部
１１  表示部
【図１】
2008287844.tif 000003
【図２】
2008287844.tif 000004
【図３】
2008287844.tif 000005
【図４】
2008287844.tif 000006
【図５】
2008287844.tif 000007
【図６】
2008287844.tif 000008